【手続補正書】
【提出日】令和3年10月28日(2021.10.28)
【手続補正１】
【補正対象書類名】特許請求の範囲
【補正対象項目名】全文
【補正方法】変更
【補正の内容】
【特許請求の範囲】
【請求項１】
バッテリ交換サービスに供用される複数のバッテリ装置と、
バッテリステーションに配置され、ユーザから返却された前記バッテリ装置を収容して充電すると共に、返却された前記バッテリ装置と交換で充電済みの前記バッテリ装置をユーザに貸し出す複数のバッテリ交換装置と、
この複数のバッテリ交換装置とネットワークを介して接続されて、前記バッテリ交換装置でのバッテリ交換を管理するサーバ装置と、
を有するバッテリ管理システムであって、
前記バッテリ交換装置は、
前記バッテリ装置を保持した来訪者を撮影するカメラを有し、
前記サーバ装置は、
前記カメラの撮影画像から取得した来訪者の顔画像情報に基づいて、来訪者が正規のユーザか否かを判定する顔照合を行い、
前記顔照合の結果に基づいて、バッテリ交換の可否を判定して、その判定結果を前記バッテリ交換装置に通知することを特徴とするバッテリ管理システム。
【請求項２】
前記サーバ装置は、
来訪者が持ち込んだ前記バッテリ装置の識別情報に基づいて、来訪者が持ち込んだ前記バッテリ装置が交換可能なものか否かを判定するバッテリ照合を行い、
前記バッテリ照合の結果に基づいて、バッテリ交換の可否を判定することを特徴とする請求項１に記載のバッテリ管理システム。
【請求項３】
前記サーバ装置は、
ユーザと、そのユーザに貸出中の前記バッテリ装置の識別情報とを対応付けて管理することを特徴とする請求項１に記載のバッテリ管理システム。
【請求項４】
前記サーバ装置は、
前記バッテリ照合として、来訪者が正規のユーザである場合に、そのユーザが持ち込んだ前記バッテリ装置が当該ユーザに貸出中の前記バッテリ装置であるか否かを判定し、
ユーザが持ち込んだ前記バッテリ装置が当該ユーザに貸出中の前記バッテリ装置でない場合には、バッテリ交換を許可しないことを特徴とする請求項２に記載のバッテリ管理システム。
【請求項５】
前記バッテリ装置は、
当該バッテリ装置の識別情報が格納された２次元コード画像が外面に設けられ、
前記バッテリ交換装置は、
来訪者が保持する前記バッテリ装置を撮影するカメラを有し、
前記サーバ装置は、
前記カメラの撮影画像から取得した２次元コード画像の読み取りにより、来訪者が保持する前記バッテリ装置の識別情報を取得することを特徴とする請求項２に記載のバッテリ管理システム。
【請求項６】
前記バッテリ交換装置は、
来訪者の顔を撮影する第１のカメラと、来訪者が保持する前記バッテリ装置を撮影する第２のカメラとを有することを特徴とする請求項５に記載のバッテリ管理システム。
【請求項７】
前記バッテリ交換装置は、
前記バッテリ装置の出し入れ口にシャッターを有し、
前記サーバ装置によるバッテリ交換の可否に関する判定結果に応じて、前記シャッターの開閉を制御することを特徴とする請求項１に記載のバッテリ管理システム。
【請求項８】
前記バッテリ交換装置は、
来訪者が接近すると、前記シャッターを開いて来訪者が持ち込んだ前記バッテリ装置を収容し、
前記サーバ装置がバッテリ交換を許可しない場合には、収容した前記バッテリ装置を来訪者に戻すために前記シャッターを開くことを特徴とする請求項７に記載のバッテリ管理システム。
【請求項９】
前記バッテリ交換装置は、
前記サーバ装置によりバッテリ交換が許可された場合には、前記シャッターを開いて来訪者が持ち込んだ前記バッテリ装置を収容し、
前記サーバ装置がバッテリ交換を許可しない場合には、前記シャッターを開かずに、バッテリ交換ができないことを来訪者に通知することを特徴とする請求項７に記載のバッテリ管理システム。
【請求項１０】
バッテリ交換サービスで供用中の複数のバッテリ装置を管理するバッテリ管理方法であって、
バッテリステーションに配置され、ユーザから返却された前記バッテリ装置を収容して充電すると共に、返却された前記バッテリ装置と交換で充電済みの前記バッテリ装置をユーザに貸し出すバッテリ交換装置において、
前記バッテリ装置を保持した来訪者をカメラで撮影し、
前記バッテリ交換装置とネットワークを介して接続されて、前記バッテリ交換装置でのバッテリ交換を管理するサーバ装置において、
前記カメラの撮影画像から取得した来訪者の顔画像情報に基づいて、来訪者が正規のユーザか否かを判定する顔照合を行い、
前記顔照合の結果に基づいて、バッテリ交換の可否を判定して、その判定結果を前記バッテリ交換装置に通知することを特徴とするバッテリ管理方法。
【手続補正２】
【補正対象書類名】明細書
【補正対象項目名】００１０
【補正方法】変更
【補正の内容】
【００１０】
本発明のバッテリ管理システムは、バッテリ交換サービスに供用される複数のバッテリ装置と、バッテリステーションに配置され、ユーザから返却された前記バッテリ装置を収容して充電すると共に、返却された前記バッテリ装置と交換で充電済みの前記バッテリ装置をユーザに貸し出す複数のバッテリ交換装置と、この複数のバッテリ交換装置とネットワークを介して接続されて、前記バッテリ交換装置でのバッテリ交換を管理するサーバ装置と、を有するバッテリ管理システムであって、前記バッテリ交換装置は、前記バッテリ装置を保持した来訪者を撮影するカメラを有し、前記サーバ装置は、前記カメラの撮影画像から取得した来訪者の顔画像情報に基づいて、来訪者が正規のユーザか否かを判定する顔照合を行い、前記顔照合の結果に基づいて、バッテリ交換の可否を判定して、その判定結果を前記バッテリ交換装置に通知する構成とする。
【手続補正３】
【補正対象書類名】明細書
【補正対象項目名】００１１
【補正方法】変更
【補正の内容】
【００１１】
また、本発明のバッテリ管理方法は、バッテリ交換サービスで供用中の複数のバッテリ装置を管理するバッテリ管理方法であって、バッテリステーションに配置され、ユーザから返却された前記バッテリ装置を収容して充電すると共に、返却された前記バッテリ装置と交換で充電済みの前記バッテリ装置をユーザに貸し出すバッテリ交換装置において、前記バッテリ装置を保持した来訪者をカメラで撮影し、前記バッテリ交換装置とネットワークを介して接続されて、前記バッテリ交換装置でのバッテリ交換を管理するサーバ装置において、前記カメラの撮影画像から取得した来訪者の顔画像情報に基づいて、来訪者が正規のユーザか否かを判定する顔照合を行い、前記顔照合の結果に基づいて、バッテリ交換の可否を判定して、その判定結果を前記バッテリ交換装置に通知する構成とする。
【手続補正４】
【補正対象書類名】明細書
【補正対象項目名】００１４
【補正方法】変更
【補正の内容】
【００１４】
前記課題を解決するためになされた第１の発明は、バッテリ交換サービスに供用される複数のバッテリ装置と、バッテリステーションに配置され、ユーザから返却された前記バッテリ装置を収容して充電すると共に、返却された前記バッテリ装置と交換で充電済みの前記バッテリ装置をユーザに貸し出す複数のバッテリ交換装置と、この複数のバッテリ交換装置とネットワークを介して接続されて、前記バッテリ交換装置でのバッテリ交換を管理するサーバ装置と、を有するバッテリ管理システムであって、前記バッテリ交換装置は、前記バッテリ装置を保持した来訪者を撮影するカメラを有し、前記サーバ装置は、前記カメラの撮影画像から取得した来訪者の顔画像情報に基づいて、来訪者が正規のユーザか否かを判定する顔照合を行い、前記顔照合の結果に基づいて、バッテリ交換の可否を判定して、その判定結果を前記バッテリ交換装置に通知する構成とする。
【手続補正５】
【補正対象書類名】明細書
【補正対象項目名】００３２
【補正方法】変更
【補正の内容】
【００３２】
また、第１０の発明は、バッテリ交換サービスで供用中の複数のバッテリ装置を管理するバッテリ管理方法であって、バッテリステーションに配置され、ユーザから返却された前記バッテリ装置を収容して充電すると共に、返却された前記バッテリ装置と交換で充電済みの前記バッテリ装置をユーザに貸し出すバッテリ交換装置において、前記バッテリ装置を保持した来訪者をカメラで撮影し、前記バッテリ交換装置とネットワークを介して接続されて、前記バッテリ交換装置でのバッテリ交換を管理するサーバ装置において、前記カメラの撮影画像から取得した来訪者の顔画像情報に基づいて、来訪者が正規のユーザか否かを判定する顔照合を行い、前記顔照合の結果に基づいて、バッテリ交換の可否を判定して、その判定結果を前記バッテリ交換装置に通知する構成とする。